(57)【要約】【課題】ブルートゥースの無線通信を用いて接続される複数の接続候補の中から所望の接続先を簡便に選択することができるようにする。【解決手段】本発明の携帯端末においては、携帯電話機は、携帯電話機と電子機器との間で無線通信を行い、近距離無線通信手段としてのブルートゥース通信部を介して、携帯電話機が無線通信可能な電子機器を検索し、検索された電子機器から少なくともデバイス名および無線出力レベルを取得するとともに、ブルートゥース通信部を介して電子機器からの受信信号の受信信号強度を取得し、取得された無線出力レベルと受信信号強度に基づいて、携帯電話機が電子機器とブルートゥース通信部を介して無線通信する場合における伝送損失を算出し、算出された伝送損失に基づいて、検索された１または複数の電子機器を配列した電子機器に関する一覧表を作成し、作成された電子機器に関する一覧表を表示することができる。【選択図】  図４
2011101231.tif 000002
【特許請求の範囲】
【請求項１】
携帯端末と電子機器との間で無線通信を行う近距離無線通信手段と、
前記近距離無線通信手段を介して、前記携帯端末が無線通信可能な前記電子機器を検索する検索手段と、
前記検索手段により検索された前記電子機器から少なくともデバイス名および無線出力レベルを取得するとともに、前記電子機器からの受信信号の受信信号強度を取得する取得手段と、
前記取得手段により取得された前記無線出力レベルと前記受信信号強度に基づいて、前記携帯端末が前記電子機器と前記近距離無線通信手段を介して無線通信する場合における伝送損失を算出する算出手段と、
前記算出出段により算出された前記伝送損失に基づいて、前記検索手段により検索された１または複数の前記電子機器を配列した前記電子機器に関する一覧表を作成する作成手段と、
前記作成手段により作成された前記電子機器に関する一覧表を表示する表示手段とを備えることを特徴とする携帯端末。
【請求項２】
前記作成手段は、前記算出手段により算出された前記伝送損失が小さい方から順に、前記検索手段により検索された１または複数の前記電子機器を配列した前記電子機器に関する一覧表を作成することを特徴とする請求項１に記載の携帯端末。
【請求項３】
前記算出手段は、前記無線出力レベルから前記受信信号強度を減算することによって前記伝送損失を算出することを特徴とする請求項１に記載の携帯端末。
【発明の詳細な説明】
【技術分野】
【０００１】
本発明は携帯端末に係り、特に、ブルートゥースの無線通信を用いて接続される複数の接続候補の中から所望の接続先を選択することができるようにした携帯端末に関する。
【背景技術】
【０００２】
近年、例えば電子機器などに適用することができる無線通信技術として例えばブルートゥース（Bluetooth（登録商標））が知られている。ブルートゥースの無線通信技術を用いれば、携帯端末（携帯電話機、携帯型コンピュータ、ＰＤＡ、その他携帯型で通信機能を有する電子機器を含む）は、オーディオケーブルを用いることなく、例えばヘッドセットなどの対向機器にオーディオデータを転送することができる。
【０００３】
携帯端末がブルートゥースの無線通信技術を用いてペアリングする（接続相手を選択して登録する）場合、携帯端末は、まず、表示画面上に接続可能な対向機器（以下、「接続候補」という）の一覧を表示する。ユーザは、携帯端末の表示画面上に表示される複数の接続候補の中から所望の接続先（接続相手）の選択を指示する。携帯端末は、ユーザからの選択指示に従い、複数の接続候補の中から１つの接続先を選択する。
【０００４】
なお、ブルートゥースのペアリングの仕様に関しては、Bluetooth Core Specification v2.1 +EDR の仕様が知られている。
【先行技術文献】
【非特許文献】
【０００５】
【非特許文献１】Bluetooth Core Specification v2.1 +EDR
【発明の開示】
【発明が解決しようとする課題】
【０００６】
ブルートゥースの無線通信技術が普及すると、ブルートゥースモジュールが搭載された電子機器が増加し、これに伴って、携帯端末がブルートゥースを用いてペアリングする場合に携帯端末の表示画面上に表示される接続候補の数が増加する。携帯端末の表示画面上に表示される接続候補の数が増加すると、ユーザは、携帯端末の表示画面上で、複数の接続候補の中から所望の接続先（接続相手）を見つけ出すことが困難となる。また、携帯端末の表示画面上に表示される接続候補の数が増加すると、ユーザは、複数の接続候補の中から所望の接続先を見つけ出すまでに多くの操作をしなければならず、それに伴って多くの時間を必要とする。
【０００７】
本発明は、このような状況に鑑みてなされたものであり、ブルートゥースの無線通信を用いて接続される複数の接続候補の中から所望の接続先を簡便に選択することができる携帯端末を提供することを目的とする。
【課題を解決するための手段】
【０００８】
本発明の携帯端末は、上述した課題を解決するために、携帯端末と電子機器との間で無線通信を行う近距離無線通信手段と、近距離無線通信手段が介して、携帯端末が無線通信可能な電子機器を検索する検索手段と、検索手段により検索された電子機器から少なくともデバイス名および無線出力レベルを取得するとともに、電子機器からの受信信号の受信信号強度を取得する取得手段と、取得手段により取得された無線出力レベルと受信信号強度に基づいて、携帯端末が電子機器と近距離無線通信手段を介して無線通信する場合における伝送損失を算出する算出手段と、算出出段により算出された伝送損失に基づいて、検索手段により検索された１または複数の電子機器を配列した電子機器に関する一覧表を作成する作成手段と、作成手段により作成された電子機器に関する一覧表を表示する表示手段とを備えることを特徴とする。
【発明の効果】
【０００９】
本発明によれば、ブルートゥースの無線通信を用いて接続される複数の接続候補の中から所望の接続先を簡便に選択することができる。
【図面の簡単な説明】
【００１０】
【図１】（Ａ）と（Ｂ）は、本発明に係る携帯端末に適用可能な携帯電話機の外観の構成を示す図。
【図２】本発明に係る携帯端末に適用可能な携帯電話機の内部の構成を示すブロック図。
【図３】携帯電話機と電子機器との間でブルートゥースによる無線通信を行う場合における様子を示す図。
【図４】図２の携帯電話機における接続候補一覧表示処理を説明するフローチャート。
【図５】デバイス検索された各電子機器の受信信号強度、無線出力レベル、および伝送損失との対応関係を示す対応関係テーブル。
【図６】制御部が作成する一覧表を示す図。
【図７】メインディスプレイに表示される接続候補一覧表に関する表示画面を示す図。
【発明を実施するための形態】
【００１１】
以下、本発明の実施の形態について、図面を参照しながら説明する。図１は、本発明に係る携帯端末として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１２】
図１（Ａ）および（Ｂ）が示すように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図２のアンテナ３１）が設けられており、内蔵されたアンテナを介して基地局（図示せず）との間で電波を送受信する。
【００１３】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１４】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１５】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１６】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１７】
また、第１の筐体１２には、操作キー１４の下部にマイクロフォン１５が設けられており、マイクロフォン１５によって通話時のユーザの音声を集音する。さらに、第１の筐体１２には、携帯電話機１の操作を行うサイドキー１６が設けられている。なお、第１の筐体１２は、背面側に図示しないバッテリパックが挿着されており、終話・電源キーがオン状態になると、バッテリパックから各回路部に対して電力が供給されて動作可能な状態に起動する。
【００１８】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図２のメモリカード４６）に記憶されているコンテンツを表示することができる。また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図２のスピーカ５０）も設けられている。また、第１の筐体１２と第２の筐体１３の内部の所定の位置には、携帯電話機１の状態を検知するための磁気センサ１９a、１９b、１９c、および１９dが設けられる。
【００１９】
図２は、本発明に係る携帯端末に適用可能な携帯電話機１の内部の構成を表している。図示せぬ基地局から送信されてきた無線信号は、アンテナ３１で受信された後、デュプレクサ（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２０】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２１】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２２】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００２３】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００２４】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００２５】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００２６】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００２７】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、デュプレクサ３２を介してアンテナ３１に供給され、このアンテナ３１から図示せぬ基地局に向けて送信される。
【００２８】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。
【００２９】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた、オペレーティングシステム（ＯＳ）を含む各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３０】
記憶部４２は、例えば、電気的に書換えや消去が可能な不揮発性メモリであるフラッシュメモリ素子やＨＤＤ（Hard Disc Drive）などからなり、制御部４１のＵＩ処理ＣＰＵにより実行される種々のアプリケーションプログラムや種々のデータ群を格納している。電源回路４４は、バッテリ４３の出力を基に所定の動作電源電圧Ｖｃｃを生成して各回路部に供給する。
【００３１】
ブルートゥース通信部５１は、ブルートゥース（Bluetooth（登録商標））による無線通信を行う。特に、ブルートゥース通信部５１は、携帯電話機１の付近に存在するヘッドホン、ヘッドセットやパーソナルコンピュータなどと無線通信を行う。ヘッドホン、ヘッドセットやパーソナルコンピュータは、それぞれ、ブルートゥース通信部を備える。なお、ヘッドホン、ヘッドセット、およびパーソナルコンピュータなどは、以下において「電子機器１０１」と総称する。
【００３２】
図３は、携帯電話機１と電子機器１０１との間でブルートゥースによる無線通信を行う場合における様子を示す。図３が示すように、電子機器１０１としてのヘッドホンＡ、ヘッドホンＢ、スピーカ、およびパーソナルコンピュータが、ヘッド携帯電話機１の付近に存在する。ここで、携帯電話機１は、まず、表示画面上に接続候補の一覧を表示する。図３の場合、携帯電話機１は、メインディスプレイ１７の表示画面上に、接続候補として「ヘッドホンＡ」、「スピーカ」、「ヘッドホンＢ」、および「パソコン」を表示する。ユーザは、携帯電話機１のメインディスプレイ１７の表示画面上に表示される複数の接続候補の中から所望の接続先（接続相手）の選択を指示する。携帯電話機１は、ユーザからの選択指示に従い、複数の接続候補の中から１つの接続先を選択する。
【００３３】
しかしながら、携帯電話機の表示画面上に表示される接続候補の数が増加すると、ユーザは、携帯電話機の表示画面上で、複数の接続候補の中から所望の接続先（接続相手）を見つけ出すことが困難となり、また、複数の接続候補の中から所望の接続先を見つけ出すまでに多くの操作をしなければならず、それに伴って多くの時間を必要とする。
【００３４】
そこで、本発明の実施形態においては、携帯電話機１と接続可能な接続候補を携帯電話機１が一覧表示する場合、携帯電話機１からの距離が近い接続候補の順に表示する。ユーザは一般的に所望の接続相手となる電子機器１０１を自分の手元に置いてペアリングをすることが多いと考えられるので、携帯電話機１が携帯電話機１からの距離が近い接続候補の順にメインディスプレイ１７に一覧表示することにより、ユーザは、所望の接続相手（接続先）を直ちに見つけ、接続先として選択の指示を簡単な操作で、かつ容易にするができる。その結果、ブルートゥース通信部５１を用いて電子機器１０１と通信する場合における携帯電話機１の利便性を向上させることができる。
【００３５】
ところが、従来の接続候補の一覧表方法では、たとえ携帯電話機１からの距離が近い接続候補であったとしても、携帯電話機１が検索した接続候補の順に携帯電話機１が接続候補として一覧表示するために、接続候補の一覧表示において下位に表示されてしまう場合がある。そこで、携帯電話機１が携帯電話機１からの距離が近い接続候補の順にメインディスプレイ１７に一覧表示する方法として、携帯電話機１が電子機器１０１からの受信信号の受信信号強度（RSSI: Received Signal Strength Indication）の大きい順に接続候補をメインディスプレイ１７の表示画面に表示する方法が考えられる。しかし、電子機器１０１によって無線出力レベルが異なるために、携帯電話機１が電子機器１０１からの受信信号の受信信号強度の大きい順に接続候補を並べたとしても、必ずしも接続候補が携帯電話機１からの距離が近い順にメインディスプレイ１７に一覧表示されるわけではない。すなわち、たとえ携帯電話機１からの距離が最も近い電子機器であったとしても、その電子機器の無線出力レベルが接続候補となる他の電子機器よりも弱い場合には、接続候補の一覧表示において下位に表示されてしまう。
【００３６】
そこで、本発明の実施形態においては、携帯電話機１が接続候補を検索する場合、携帯電話機１は、電子機器１０１からの受信信号の受信信号強度とEIRの無線出力レベルに基づいて伝送損失を算出し、算出された伝送損失が小さい接続候補が携帯電話機１からの距離が近い接続候補であると推定し、伝送損失の小さい順に接続候補をメインディスプレイ１７の表示画面に表示する。これにより、携帯電話機１は、携帯電話機１からの距離が近いと推定される接続候補の順にメインディスプレイ１７の表示画面上に接続候補を表示することができる。なお、EIRは、携帯電話機１がデバイス検索をする場合に各電子機器１０１から各種の情報を取得する仕様であり、Bluetooth2.1で新たに追加された仕様である。以下、この方法を用いた接続候補一覧表示処理について説明する。
【００３７】
図４のフローチャートを参照して、図２の携帯電話機１における接続候補一覧表示処理について説明する。なお、図３が示すように、携帯電話機１の付近には、ヘッドホンＡ、ヘッドホンＢ、スピーカ、およびパソコン（パーソナルコンピュータ）が存在するものとする。
【００３８】
ステップＳ１において、制御部４１は、ユーザにより操作キー１４のうちの確定キーが押下されると、メニュ画面をメインディスプレイ１７に表示する。ユーザは、メインディスプレイ１７の表示画面上に表示されたメニュ画面の中からブルートゥース（ＢＴ）のメニュを選択する。ユーザは、メニュの中からデバイス検索（サーチ）操作を選択する。制御部４１は、ユーザによりデバイス検索操作が選択されると、ブルートゥース通信部５１を制御してデバイス検索を開始する。
【００３９】
ステップＳ２において、制御部４１は、ブルートゥース通信部５１を制御し、携帯電話機１の付近に存在するブルートゥース通信可能な電子機器１０１を順次検索し、検索された接続候補としての電子機器１０１から、その電子機器１０１が有するデバイスアドレス、デバイス名、および無線出力レベル［dBm］を取得する。このとき、制御部４１は、接続候補としての電子機器１０１から各種の情報を取得する際の通信時における受信信号強度［dBm］をブルートゥース通信部５１を介して取得する。
【００４０】
ステップＳ３において、制御部４１は、取得された無線出力レベルと受信信号強度に基づいて、携帯電話機１と各電子機器１０１との間における伝送損失を［数１］を用いて算出する。
【００４１】
［数１］
伝送損失［dBm］＝無線出力レベル［dBm］−受信信号強度［dBm］
【００４２】
例えば携帯電話機１がヘッドホンＡをデバイス検索した場合、ヘッドホンＡに関する受信信号強度＝−６０［dBm］であり、かつヘッドホンＡに関する無線出力レベル＝４［dBm］であるとすると、ヘッドホンＡに関する伝送損失［dBm］は６４（＝４−（−６０））［dBm］であると算出される。このとき、制御部４１によって算出された伝送損失が小さいほど携帯電話機１からの距離が近い接続候補であると推定される一方、制御部４１によって算出された伝送損失が大きいほど携帯電話機１からの距離が遠い接続候補であると推定される。図５は、デバイス検索された各電子機器１０１の受信信号強度、無線出力レベル、および伝送損失との対応関係を示す。図５が示すように、携帯電話機１がデバイス検索によって検索した電子機器１０１に関する受信信号強度、無線出力レベル、および伝送損失が関連付けられて記述されている。例えばパソコンの場合、受信信号強度は−５５［dBm］であり、また無線出力レベルは２０［dBm］であり、伝送損失［dBm］は７５（＝２０−（−５５））［dBm］である。なお、対応関係テーブルに記述されている電子機器１０１の順番は、例えば携帯電話機１がデバイス検索によって検索した電子機器１０１の順番である。
【００４３】
ステップＳ４において、制御部４１は、デバイス検索によって検索された各電子機器１０１から取得されたデバイスアドレス、およびデバイス名と、ステップＳ３において算出された各電子機器１０１に関する伝送損失に基づいて、接続候補として電子機器１０１の一覧表を作成する。図６は、制御部４１が作成する一覧表を示す。図６が示すように、携帯電話機１がデバイス検索によって検索した電子機器１０１の順に、その電子機器１０１に関して取得されたデバイス名とデバイスアドレス、および伝送損失が関連付けられて記述される。
【００４４】
ステップＳ５において、制御部４１は、作成された一覧表を参照して、伝送損失が小さい接続候補の順に接続候補を配列した接続候補一覧表に関する表示画面を作成する。具体的には、制御部４１は、図６の一覧表を参照して、伝送損失が小さい接続候補の順に、すなわち「ヘッドホンＡ」、「スピーカ」、「ヘッドホンＢ」、および「パソコン」の順に接続候補を配列した接続候補一覧表に関する表示画面を作成する。ステップＳ６において、制御部４１は、メインディスプレイ１７を制御し、伝送損失が小さい接続候補の順に接続候補を配列した接続候補一覧表に関する表示画面をメインディスプレイ１７に表示する。図７は、メインディスプレイ１７に表示される接続候補一覧表に関する表示画面を示す。図７が示すように、携帯電話機１は、伝送損失の小さい順に接続候補をメインディスプレイ１７の表示画面に表示する。これにより、携帯電話機１は、携帯電話機１からの距離が近いと推定される接続候補の順にメインディスプレイ１７の表示画面上に接続候補を表示することができる。
【００４５】
本発明の実施形態においては、携帯電話機１は、携帯電話機１と電子機器１０１との間で無線通信を行い、近距離無線通信手段としてのブルートゥース通信部５１を介して、携帯電話機１が無線通信可能な電子機器１０１を検索し、携帯電話機１の制御部４１は、検索された電子機器１０１から少なくともデバイス名および無線出力レベルを取得するとともに、ブルートゥース通信部５１を介して電子機器１０１からの受信信号の受信信号強度を取得し、取得された無線出力レベルと受信信号強度に基づいて、携帯電話機１が電子機器１０１とブルートゥース通信部５１を介して無線通信する場合における伝送損失を算出し、算出された伝送損失に基づいて、検索された１または複数の電子機器を配列した電子機器１０１に関する一覧表を作成し、作成された電子機器１０１に関する一覧表を表示することができる。そして、制御部４１は、算出された伝送損失が小さい方から順に、検索された１または複数の電子機器を配列した電子機器に関する一覧表を作成することができる。これにより、携帯電話機１は、携帯電話機１からの距離が近いと推定される接続候補の順にメインディスプレイ１７の表示画面上に接続候補を表示することができる。従って、ユーザは、携帯電話機１のメインディスプレイ１７の表示画面上で、複数の接続候補の中から所望の接続先（接続相手）を容易に、かつ簡単な操作で見つけ出すことができる。
【符号の説明】
【００４６】
１…携帯電話機、１１…ヒンジ部、１２…第１の筐体、１３…第２の筐体、１４…操作キー、１５…マイクロフォン、１６…サイドキー、１７…メインディスプレイ、１８…レシーバ、１９a乃至１９d…磁気センサ、２０…ＣＣＤカメラ、２１…サブディスプレイ、３１…アンテナ、３２…デュプレクサ、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、５０…スピーカ、５１…ブルートゥース通信部。
【図１】
2011101231.tif 000003
【図２】
2011101231.tif 000004
【図３】
2011101231.tif 000005
【図４】
2011101231.tif 000006
【図５】
2011101231.tif 000007
【図６】
2011101231.tif 000008
【図７】
2011101231.tif 000009